【手続補正書】
【提出日】平成18年11月20日(2006.11.20)
【手続補正１】
【補正対象書類名】明細書
【補正対象項目名】特許請求の範囲
【補正方法】変更
【補正の内容】
【特許請求の範囲】
【請求項１】  アンテナ装置（２１０、４１０、７１０）を備えているＲＦトランスポンダ（１０２、２００、４００）において、
アンテナ装置の両端に接続されているプログラム可能な負荷（Ｍ１．．Ｍ８）を備えていることを特徴とするＲＦトランスポンダ（１０２、２００、４００）。
【請求項２】  プログラム可能な負荷が、
複数の第１のトランジスタ（Ｍ１．．Ｍ４）と、
対応する複数の第２のトランジスタ（Ｍ５．．Ｍ８）と、
第１のトランジスタのうちの選択したトランジスタと、第２のトランジスタのうちの選択したトランジスタとをアンテナ装置に接続するための制御論理回路（７４７）と、
を備えることを特徴とする請求項１に記載のＲＦトランスポンダ。
【請求項３】  制御論理回路を駆動するためにプログラムされた設定を保存するＥＥＰＲＯＭ（４３６、４３６ｂ）を備えることを特徴とする請求項２に記載のＲＦトランスポンダ。
【請求項４】  電源（Ｖｘｘ）と、プログラム可能な負荷に接続されているレベル移行器（ＬＳ１．．ＬＳ４）とを備え、電源の電圧変化がトランスポンダにおいて利用できる電力に従ってプログラム可能な負荷の大きさを動的に変化することを特徴とする請求項１に記載のＲＦトランスポンダ。
【請求項５】  リセット信号に応答してアンテナ装置からプログラム可能な負荷を切り離すゲート（７９６）を備えていることを特徴とする請求項１に記載のＲＦトランスポンダ。
【請求項６】  アンテナ装置（２１０、４１０、７１０）を備えているＲＦトランスポンダ（１０２、２００、４００）において、
動的に可変な負荷（７００）を備え、該負荷は、
アンテナ装置の両端に接続された負荷（Ｍ１．．Ｍ８）と、
電源（Ｖｘｘ）と、負荷に接続されているレベル移行器（ＬＳ１．．ＬＳ４）とを備え、
電源の電圧変化がトランスポンダにおいて利用できる電力に従って負荷の大きさを動的に変化することを特徴とするＲＦトランスポンダ（１０２、２００、４００）。
【請求項７】  動的に可変な負荷がアンテナ装置の負荷の大きさをプログラム可能に変化する素子を備え、該素子は、
複数のトランジスタ（Ｍ１．．Ｍ４）と、
対応する複数のトランジスタ（Ｍ５．．Ｍ８）と、
第１のトランジスタ及び第２のトランジスタのうちの選択したトランジスタをアンテナ装置に接続するための制御論理回路（７４７）と、
を備えることを特徴とする請求項６に記載のＲＦトランスポンダ。
【請求項８】  制御論理回路を駆動するためにプログラムされた設定を保存するＥＥＰＲＯＭ（４３６、４３６ｂ）を備えていることを特徴とする請求項７に記載のＲＦトランスポンダ。
【請求項９】  動的に可変な負荷を変調するために接続されている制御論理回路（７４７）を備え、該制御論理回路は、システムクロック信号（ＳＹＳ＿ＣＬＫ／２）とデータ流（ＤＡＴＡ＿ＳＴＲＥＡＭ）を論理的に組合わせることによりゲート（７９４）において形成された制御信号入力（ＰＳＫ＿ＭＯＤ，
【外１】
2002544744.tif 000001
）を有することを特徴とする請求項６に記載のＲＦトランスポンダ。
【請求項１０】  システムクロック信号をデータ流に同期するためにシステムクロック信号を遅延させる同期遅延回路（７９２）を備えていることを特徴とする請求項９に記載のＲＦトランスポンダ。
【請求項１１】  リセット信号に応答してアンテナ装置への負荷の接続を遮断するゲート（７９６）を備えていることを特徴とする請求項６に記載のＲＦトランスポンダ。
【請求項１２】  アンテナ装置（２１０、４１０、７１０）と、
アンテナ装置により受けられたＲＦ信号を変調する変調回路（２４６、４４６、７００）と、
を備えている、ＲＦトランスポンダ（１０２、２００、４００）において、
アンテナ装置に接続されている変調負荷（Ｍ１．．Ｍ８）と、
変調負荷を制御する制御論理回路（７４７）と、
システムクロック信号（ＳＹＳ＿ＣＬＫ／２）とデータ流（ＤＡＴＡ＿ＳＴＲＥＡＭ）を論理的に組合わせ、制御信号（ＰＳＫ＿ＭＯＤ，
【外２】
2002544744.tif 000002
）を制御論理回路に供給する第１のゲート（７９４）と、
システムクロック信号をデータ流に同期するためにシステムクロック信号を遅延させる同期遅延回路（７９２）と、
を備えていることを特徴とするＲＦトランスポンダ（１０２、２００、４００）。
【請求項１３】  リセット信号に応答してアンテナ装置から変調負荷を切り離すために第１のゲートと制御論理回路との間に挿入されている第２のゲート（７９６）を備えていることを特徴とする請求項１２に記載のＲＦトランスポンダ。
【請求項１４】  アンテナ装置（２１０、４１０、７１０）と、アンテナ装置により受けられたＲＦ信号に変調を加える変調回路（２４６、４４６、７００）と、受けたＲＦ信号からトランスポンダ電力を得る回路（２２２、４２２）とを備えた受動トランスポンダ内のＲＦ信号変調を制御する方法において、
システムクロック信号（ＳＹＳ＿ＣＬＫ／２）とデータ流（ＤＡＴＡ＿ＳＴＲＥＡＭ）を論理的に組合わせることにより形成された制御信号（ＰＳＫ＿ＭＯＤ，
【外３】
2002544744.tif 000003
）の制御の下にアンテナ装置に接続可能な変調負荷（Ｍ１．．Ｍ８）を設けることと、
システムクロック信号をデータ流に同期するためにシステムクロック信号を遅延させることと、
を備えていることを特徴とする受動トランスポンダ内のＲＦ信号変調を制御する方法。
【請求項１５】  アンテナ装置により受けられたＲＦ信号の位相変位キー型変調を行うために、位相変位キー型制御信号を形成することを特徴とする請求項１４に記載の方法。
【請求項１６】  位相変位キー制御信号がアンテナ装置により受けられたＲＦ信号の周波数の半分を持つシステムクロック信号を使用し、
データ流がアンテナ装置により受けられたＲＦ信号の周波数の分数の周波数でクロックされる信号である、
ことを特徴とする請求項１５に記載の方法。
【請求項１７】  トランスポンダに保存されているプログラムされたトリム設定（４３６ｂ）に従って調整される大きさを持つ変調指数を利用することによりＲＦ信号変調性能を最適にすることを特徴とする請求項１４に記載の方法。
【請求項１８】  プログラムされたトリム設定のビットにより決定される変調指数を２進調整することを特徴とする請求項１７に記載の方法。
【請求項１９】  アンテナ装置により受けられたＲＦ信号の電力に比例して動的に調整される大きさを有する変調指数を有することを特徴とする請求項１４に記載の方法。
【請求項２０】  アンテナ装置により受けられたＲＦ信号から得られる電力が、ＲＦ信号の変調を含めたトランスポンダの安定な動作のために適切な電力を供給するには小さすぎるならばＲＦ信号の変調を阻止することを特徴とする請求項１４に記載の方法。
【手続補正２】
【補正対象書類名】明細書
【補正対象項目名】００２６
【補正方法】変更
【補正の内容】
【００２６】
本発明の特徴に従って、変調負荷の大きさが、トランスポンダに（たとえば、ＥＥＰＲＯＭに）保存されている、個々のトランスポンダの特性と予測されるトランスポンダ動作条件とに対して信号変調を最適にするために設定されるプログラム可能なトリム設定に従って設定される。このプログラム可能な負荷は複数の第１のトランジスタと、対応する複数の第２のトランジスタと、第１のトランジスタのうちの選択されたものと第２のトランジスタのうちの選択されたものとをアンテナ装置に接続する制御論理回路とを備えている。トランジスタは、２進ステップで変化が行われるように、選択できる。
【手続補正３】
【補正対象書類名】明細書
【補正対象項目名】０１０１
【補正方法】変更
【補正の内容】
【０１０１】
一般に、
カウント＝カウントされるウィンドウ時間（ｔ）×周波数（Ｆ）
Ｈ＝１／周期
充電時間＝Ｖ×Ｃ／Ｉ
電流Ｉで電圧Ｖまで充電すべき容量がＣであるコンデンサに対して。
【手続補正４】
【補正対象書類名】明細書
【補正対象項目名】０１０２
【補正方法】変更
【補正の内容】
【０１０２】
周波数がＦｏｓｃ'の出力信号を持つ弛張発振器３１２の周期は、２つの位相経路３１４ａと３１４ｂ中の容量の充電時間の和であるので、ＣFX1とＣFX2を有するそのような弛張発振器からのカウントについての一般的な方程式を得るために上の式を取り扱うことができる。たとえば、
カウント＝ｔ／（Ｖ×ＣFX1／Ｉ＋ＣFX2／Ｉ）
＝ｔ×Ｉ／（Ｖ×（ＣFX1＋ＣFX2））
温度カウントと圧力カウントに値を代入すると
ＮT＝（ｔT×Ｉ（Ｔ）／ｎT）／（Ｖｂｇ×（ＣFX1＋ＣFX2））
・・・［式Ａ］
Ｎｐ＝（ｔP×Ｉ（Ｔ）／ｎP）／（Ｖｂｇ×（ＣFX1＋ＣFX2＋Ｃｐ））ここに、ｎTとｎPは、温度測定ウィンドウと圧力測定ウィンドウ中で異なることが有り得るスケールされた電流Ｉ（Ｔ）／Ｎ中の換算係数Ｎの値である。
【手続補正５】
【補正対象書類名】明細書
【補正対象項目名】０１０３
【補正方法】変更
【補正の内容】
【０１０３】
式ＮTをＮｐで除すと
ＮT／Ｎｐ＝（ｔT／ｔP）×（ｎT／ｎP）×（ＣFX1＋ＣFX2＋Ｃｐ）／（ＣFX1＋ＣFX2）
すなわち、
ＮT／Ｎｐ＝（ｔT／ｔP）×（ｎT／ｎP）×（１＋（Ｃｐ／（ＣFX1＋ＣFX2））                                                                
・・・［式Ｂ］
が得られる。この式Ｂの右辺の項は、圧力検出容量Ｃｐを除いて全て定められた定数であるから、ＮT／ＮｐとＣｐ（したがって、圧力）の間に直線関係が存在することがわかる。これは、ＮT／Ｎｐが圧力の関数だけであって、温度変化やコンデンサ充電電流の変動には左右されないことを意味する。
【手続補正６】
【補正対象書類名】明細書
【補正対象項目名】０１０５
【補正方法】変更
【補正の内容】
【０１０５】
ＮT／Ｎｐ＝１＋（Ｃｐ／２×ＣFX）
式Ａから、温度カウントＮTと電流Ｉ（Ｔ）（これは温度に比例する）の間に直線関係が既に存在することがわかる。
【手続補正７】
【補正対象書類名】明細書
【補正対象項目名】０１６４
【補正方法】変更
【補正の内容】
【０１６４】
変調指数＝１００×（ＶＰ2−ＶＰ1）／（ＶＰ2＋ＶＰ1）
ここにＶＰ2は変調されていない波形のピーク電圧、ＶＰ1は変調されている波形中の負荷されているピークのピーク電圧である。その結果としての変調指数は、変調中に増加させられた負荷により加えられたＲＦ信号電力の減少量を表す百分率と見ることができる。
【手続補正８】
【補正対象書類名】明細書
【補正対象項目名】０１６６
【補正方法】変更
【補正の内容】
【０１６６】
アンテナ装置７１０は、１つまたは複数の出力段トランジスタＭ１．．Ｍ４と、１つまたは複数の出力段トランジスタＭ５．．Ｍ８を備えている変調負荷により駆動される。出力段トランジスタＭ１．．Ｍ８は、アンテナ装置に発生される潜在的な高電圧を最も良く取り扱うための「低濃度でドープされたドレイン」トランジスタである。インタフェースおよび整流回路４２２はアンテナ装置７１０で受信した信号の全波整流を行うので、アンテナ装置７１０の２つの端子ＶＡ、ＶＢは別々に変調されて対称的な変調効果を達成する。出力段トランジスタＭ１．．Ｍ８は「幅」掛ける「長さ」（Ｗ×Ｌ）として表されるある範囲の物理的寸法を持つ。たとえば、トランジスタＭ１とＭ５は８０μｍ×８０μｍ（「μｍ」単位はマイクロメートル、すなわち、ミクロンである）、Ｍ２とＭ６は４０μｍ×８μｍ、Ｍ３とＭ７は２０μｍ×８μｍ、Ｍ４とＭ８は１０μｍ×８μｍである。あるいは、異なる寸法のトランジスタを製造するために、各トランジスタＭ１．．Ｍ８は並列にされた１つまたは複数のトランジスタで構成でき、所望の物理的全面積になるまで加え合わされる物理的面積を有する（たとえば、トランジスタＭ１は１０μｍ×８μｍのトランジスタを８個並列に有することができる）。出力段トランジスタＭ１．．Ｍ８の物理的寸法は、アンテナ端子ＶＡ／ＶＢのために各トランジスタセットＭ１．．Ｍ４／Ｍ５．．Ｍ８内に、１つの出力段トランジスタから次のトランジスタまで２進ステップで負荷を生ずるように選択される。この回路で使用される出力段トランジスタＭ１．．Ｍ８などのトランジスタ（たとえば、ＦＥＴトランジスタ）の直線モードインピーダンスを、
Ｚ＝Ｌ／（Ｗ×ｋ×（ＶGS−ＶTh））    ［ＥＱ．Ｃ］
と表すことができる。ここに、Ｚはインピーダンス、ＬとＷはトランジスタの「長さ」と「幅」、ｋはこの例でのトランジスタの間で変化しないパラメータを含めた簡単化「定数」、ＶGSはゲート‐ソース電圧（たとえば、ゲート‐アース）、ＶThはトランジスタのしきい値電圧（たとえば、０．５Ｖ）である。したがって、この例では、各トランジスタＭ４とＭ８のインピーダンスはそれの「幅」分の１、すなわち、１／１０、に比例し、各トランジスタＭ３とＭ７のインピーダンスは１／２０、に比例し、各トランジスタＭ２とＭ６のインピーダンスは１／４０、に比例し、各トランジスタＭ１とＭ５のインピーダンスは１／８０、に比例する。
【手続補正９】
【補正対象書類名】明細書
【補正対象項目名】０１６７
【補正方法】変更
【補正の内容】
【０１６７】
トランジスタ対Ｍ１／Ｍ５．．Ｍ４／Ｍ８に４つのレベル移行器ＬＳ１、ＬＳ２、ＬＳ３、ＬＳ４が接続されている。各レベル移行器は制御論理回路７４７により制御され、かつ追加の電源電圧Ｖｘｘが供給される。制御論理回路７４７とそれの前段の回路は論理レベル電圧、すなわち、電圧Ｖｄｇ、で動作させられる。レベル移行器ＬＳ１．．ＬＳ４は、制御論理回路７４７によりターンオンされると、より高い電圧Ｖｘｘをそれらに接続されているトランジスタのゲートに出力する。したがって、式ＥＱ．Ｃにおけるゲート‐ソース電圧ＶGSは、整流された入力ＲＦ信号から得られた入力電圧Ｖｘｘになり、したがって、それは、インタフェースおよび整流回路４２２により印加される制限電圧までそれに比例する。式ＥＱ．Ｃからわかるように、出力段トランジスタＭ１．．Ｍ８のインピーダンスは電圧（Ｖｘｘ−ＶTh）に逆比例する。これは、入来電力レベルの変化に従って変調指数を変化するために採用される技術の例である。
【手続補正１０】
【補正対象書類名】明細書
【補正対象項目名】０１６８
【補正方法】変更
【補正の内容】
【０１６８】
制御論理回路７４７は２つの主な制御入力セット、トリムビット情報と、位相変位キーデータ流
【手続補正１１】
【補正対象書類名】明細書
【補正対象項目名】０１７３
【補正方法】変更
【補正の内容】
【０１７３】
制御論理回路７４７の可能な段７４７ａの例が図５Ａに示されている。トランスポンダ４００のこの実施形態では、変調指数を制御するトリミングビット・レジスタ４３６ｂ中の４ビット（たとえば、ビット０．．３、すなわち、ＴＲＩＭ＿ＢＩＴ０、ＴＲＩＭ＿ＢＩＴ１、ＴＲＩＭ＿ＢＩＴ２、ＴＲＩＭ＿ＢＩＴ３）がある。それらのビットは、１ビットが各レベル移行器ＬＳ１．．ＬＳ４に対するものである。図示されている回路７４７ａからわかるように、ＮＡＮＤゲート７４９ａは、トリムビットＴＲＩＭ＿ＢＩＴ０（４３６ｂ．０）の設定を用いて、そのＴＲＩＭ＿ＢＩＴ０が高くプログラムされているならば、
【手続補正１２】
【補正対象書類名】明細書
【補正対象項目名】０１７５
【補正方法】変更
【補正の内容】
【０１７５】
信号がレベル移行器ＬＳ１へ進むことができるようにし、またはそのＴＲＩＭ ＢＩＴ０が低くプログラムされているならば、
【手続補正１３】
【補正対象書類名】明細書
【補正対象項目名】図５Ａ
【補正方法】変更
【補正の内容】
【図５Ａ】
本発明の図５の回路の制御論理回路中の回路の例の回路図である。
【手続補正１４】
【補正対象書類名】図面
【補正対象項目名】図５
【補正方法】変更
【補正の内容】
【図５】
2002544744.tif 000004